(57)【要約】      （修正有）【課題】手持ちの圧着端子を携帯する必要がなく、また、不平衡の状態で使用しても圧着端子が落下することなく、圧着部からも圧着端子が飛び出ることのない圧着工具を得る。【解決手段】底部を上面とする箱型形状の上部本体１１と、上部本体１１内に収納可能に形成された箱型形状の下部本体１２と、下部本体１２の開放部を塞ぐカバー１５を備え、カバー１５は、第１の支軸１３の近傍で、且つ、下部本体１２の一方の側部側に第１の開口１６を有し、下部本体１２は、第１の開口１６が形成された部位における他方の側部側に、導体の先端部を挿入する第２の開口を有し、上部本体１１は、下部本体１２に対して上部本体１２が押圧され、上部本体１１内にカバー１５と下部本体１２が収納されて三者が一体化した時に、第１の開口１６に嵌合し、圧着端子２の先端部を押圧する突出部１９と、第２の開口と対向する開口部１８とを有する。【選択図】図４
2011204393.tif 000002
【特許請求の範囲】
【請求項１】
中空体で形成され、胴体部と該胴体部より細く形成された先端部を有する圧着端子の前記先端部を押圧して導体を接続する圧着工具であって、
操作腕を構成すると共に、底部を上面とする箱型形状に形成された上部本体と、
前記上部本体の端部に第１の支軸を支点として回動可能に連結され、前記上部本体内に収納可能に形成された箱型形状の下部本体と、
前記下部本体の上部に設けられると共に、前記第１の支軸と反対側の端部に設けられた第２の支軸を支点として回動し、前記下部本体の開放部を塞ぐカバーと、
前記下部本体と前記カバーにより前記下部本体に形成される圧着端子収納部に設けられ、前記第２の支軸を保持する保持部を支点として押圧子を押圧するばね部材と、を備え、
前記カバーは、前記第１の支軸の近傍で、且つ、前記下部本体の一方の側部側に第１の開口を有し、
前記下部本体は、前記第１の開口が形成された部位における他方の側部側に、前記導体の先端部を挿入する第２の開口を有し、
更に、前記上部本体は、前記下部本体に対して前記上部本体が押圧され、前記上部本体内に前記カバーと前記下部本体が収納されて三者が一体化した時に、前記第１の開口に嵌合し、前記圧着端子の先端部を押圧する突出部と、前記第２の開口と対向する開口部とを有することを特徴とする圧着工具。
【請求項２】
前記圧着端子収納部に、前記圧着端子を前記第１の開口側に位置する前記下部本体の側部側に先端部が位置するように、倒した状態で並べて装填すると共に、
前記押圧子の押圧面は、前記第１の開口側の押圧面が前記圧着端子の先端部に対向して突出し、残部が前記圧着端子の胴体部に対向して窪んだ形状に形成されることを特徴とする請求項１に記載の圧着工具。
【発明の詳細な説明】
【技術分野】
【０００１】
この発明は、例えば電線等の電気導体を圧着端子により圧着して接続する圧着工具に関するものである。
【背景技術】
【０００２】
従来、電線等の電気導体の芯線部に端子を圧着して接続する圧着工具として、圧着端子を順次圧着部に供給することのできる端子収納部を備え、この端子収納部から圧着端子を順次圧着部に繰り出して圧着し、導体の芯線部に圧着端子を圧着固定する手持式端子圧着工具が提案されている（例えば、特許文献１参照）。
【先行技術文献】
【特許文献】
【０００３】
【特許文献１】特開平９−２１９２７１号公報（要約の欄、図１）
【発明の概要】
【発明が解決しようとする課題】
【０００４】
前記特許文献１に開示された技術は、簡単なペンチ方式の手動圧着工具でありながら、複数の圧着端子を端子収納部に収納し、その最後部の圧着端子を指先で押すことにより、最先部の圧着端子を順次圧着部に繰り出して連続的に、且つ容易に圧着端子を導体の芯線部に圧着固定することができるものである。
【０００５】
しかし、前記特許文献１に開示された技術は、最後部の圧着端子を指先で押して最先部の圧着端子を順次圧着部に繰り出すものであるため、最後部から圧着端子を手動で押し込まなければ最先部の圧着端子が圧着部に到達しないため、圧着工具を使用の際には、手持ちの圧着端子として、常時、必要個数を携帯する必要がある。
【０００６】
また、圧着工具を使用の際、圧着工具の平衡を保たなければ最後部から圧着端子が落下する課題があり、更に、最前部にある圧着部が開放されているため、圧着端子を端子収納部に補充する際に、圧着部から圧着端子が飛び出る可能性がある。
【０００７】
この発明は、前記の課題を解決するためになされたもので、手持ちの圧着端子を携帯する必要がなく、また、不平衡の状態で使用しても圧着端子が落下することなく、圧着部からも圧着端子が飛び出ることのない圧着工具の提供を目的とするものである。
【課題を解決するための手段】
【０００８】
前記課題を解決するために、この発明に係る圧着工具は、中空体で形成され、胴体部と該胴体部より細く形成された先端部を有する圧着端子の前記先端部を押圧して導体を接続する圧着工具であって、操作腕を構成すると共に、底部を上面とする箱型形状に形成された上部本体と、前記上部本体の端部に第１の支軸を支点として回動可能に連結され、前記上部本体内に収納可能に形成された箱型形状の下部本体と、前記下部本体の上部に設けられると共に、前記第１の支軸と反対側の端部に設けられた第２の支軸を支点として回動し、前記下部本体の開放部を塞ぐカバーと、前記下部本体と前記カバーにより前記下部本体に形成される圧着端子収納部に設けられ、前記第２の支軸を保持する保持部を支点として押圧子を押圧するばね部材と、を備え、前記カバーは、前記第１の支軸の近傍で、且つ、前記下部本体の一方の側部側に第１の開口を有し、前記下部本体は、前記第１の開口が形成された部位における他方の側部側に、前記導体の先端部を挿入する第２の開口を有し、更に、前記上部本体は、前記下部本体に対して前記上部本体が押圧され、前記上部本体内に前記カバーと前記下部本体が収納されて三者が一体化した時に、前記第１の開口に嵌合し、前記圧着端子の先端部を押圧する突出部と、前記第２の開口と対向する開口部とを有するものである。
【発明の効果】
【０００９】
この発明に係る圧着工具によれば、手持ちの圧着端子を携帯する必要がなく、また、圧着工具を不平衡の状態で使用しても圧着端子が落下することなく、圧着部からも圧着端子が飛び出ることのない圧着工具を得ることができる。
【図面の簡単な説明】
【００１０】
【図１】電気導体の先端部を示す図である。
【図２】この発明の実施の形態１に係る圧着工具を正面側から見た斜視図である。
【図３】この発明の実施の形態１に係る圧着工具を背面側から見た斜視図である。
【図４】この発明の実施の形態１に係る圧着工具の上部本体と下部本体を一直線状に開いた状態を示す平面図である。
【図５】この発明の実施の形態１に係る圧着工具の上部本体と下部本体を一直線状に開いた状態を示す側面図である。
【図６】この発明の実施の形態１に係る圧着工具の下部本体からカバーを開いた状態を示す側面図である。
【発明を実施するための形態】
【００１１】
以下、添付の図面を参照して、この発明に係る圧着工具について好適な実施の形態を説明する。なお、この実施の形態によりこの発明が限定されるものではなく、諸種の設計的変更をも包摂するものである。
【００１２】
実施の形態１．
まず、この発明に係る圧着工具の用途について説明する。図１は、電気導体（以下、導体という。）１ａ，１ｂの先端部を示し、２本の導体の絶縁被覆を剥がした芯線部１ｃを圧着端子２により接続する状態を示している。圧着端子２は、断面が凸形状に形成された中空体で形成されている。そして、導体１ａ，１ｂを合わせた芯線部１ｃが圧着端子２の胴体部２ａから差込まれ、胴体部２ａより細く形成された先端部２ｂを圧着することにより導体１ａ，１ｂが接続されるものである。この発明に係る圧着工具は、圧着端子２の先端部２ｂを圧着するのに用いられる。
【００１３】
次に、実施の形態１に係る圧着工具について説明する。図２および図３は、実施の形態１に係る圧着工具の斜視図を示し、図２は正面側から見た斜視図、図３は背面側から見た斜視図である。
図２および図３において、圧着工具１０は、操作腕を構成する上部本体１１と下部本体１２が、それぞれの端部に設けられた第１の支軸１３を支点として回動可能に連結されている。そして、上部本体１１と下部本体１２の第１の支軸１３から離れた部位を押圧することにより、後述するように圧着端子２の先端部２ｂを圧着するものである。
【００１４】
下部本体１２は、断面が矩形状で長方形の箱型形状に形成されており、その上部の開放部を塞ぐように第２の支軸１４を支点として回動するカバー１５が備えられている。第２の支軸１４は、下部本体１２の先端部、即ち、第１の支軸１３と反対側の端部に設けられている。カバー１５には、第１の支軸１３の近傍で、且つ、幅方向の片側、即ち、下部本体１２の一方の側部側に第１の開口１６が形成されている。また、第１の開口１６が形成された部位における下部本体１２の他方の側部側には、導体１ａ，１ｂの先端部を挿入する第２の開口１７が形成されている。なお、下部本体１２とカバー１５により、圧着端子２の収納部が構成されている。
【００１５】
上部本体１１は、断面が矩形状で、かつ底部を上面とする長方形の箱型形状に形成されており、下部本体１２をカバー１５と共に覆う大きさに形成されている。即ち、下部本体１２に対し上部本体１１が押圧され、両者が第１の支軸１３を支点として回動した時、その回動終端において上部本体１１がカバー１５と下部本体１２を覆い、三者が一体化するように構成されている。また、上部本体１１には、上部本体１１がカバー１５と下部本体１２を覆い、三者が一体化した時に、下部本体１２に形成された第２の開口１７と対向する部位に開口部１８が形成されている。
【００１６】
図４および図５は、上部本体１１と下部本体１２を一直線状に開いた状態を示す図で、図４は平面図であり、図５は側面図である。図４および図５に示すように、上部本体１１には、第１の支軸１３の近傍に突出部１９が設けられている。この突出部１９は、上部本体１１がカバー１５と下部本体１２を覆い、三者が一体化した時、カバー１５に形成された第１の開口１６と対向する部位に設けられている。そして、後述するように、この突出部１９が第１の開口１６と嵌合して圧着端子２の先端部２ｂを圧着し、導体１ａ，１ｂを接続する。即ち、第１の開口１６と突出部１９により、圧着端子２の圧着部を構成している。
【００１７】
下部本体１２とカバー１５により構成される圧着端子２の収納部には、第２の支軸１４を保持する保持部２０が設けられており、この保持部２０を支点として押圧子２１を押圧するばね部材２２が収納されている。押圧子２１は、ばね部材２２の押圧力により、圧着端子２の収納部に倒した状態で多数並べられた圧着端子２を常時押圧している。
【００１８】
圧着端子２は、下部本体１２とカバー１５により構成される収納部において、カバー１５に形成された第１の開口１６側に位置する下部本体１２の側部側に先端部２ｂが位置するように、倒した状態で並べて装填される。また、圧着端子２を押圧する押圧子２１の押圧面は、図４に示すように、第１の開口１６側の押圧面が圧着端子２の先端部２ｂに対向して突出し、残部が圧着端子２の胴体部２ａに対向して窪んだ逆Ｌ形状に形成されている。そして、前記突出した押圧面が圧着端子２の先端部２ｂを押圧し、前記窪んだ残部が圧着端子２の胴体部２ａを押圧し、圧着端子２を順次圧着部に移動させるように構成されている。
【００１９】
実施の形態１に係る圧着工具１０は前記のように構成されており、次に、この圧着工具１０を用いた導体の接続方法について説明する。
まず、圧着工具１０の上部本体１１と下部本体１２を第１の支軸１３を支点として回動させ、図４に示すように一直線状に開いた状態にし、更に下部本体１２に設けられた第２の支軸１４を支点としてカバー１５を回動させる。これにより、下部本体１２とカバー１５で構成される圧着端子２の収納部が開口する。図５はこの状態を示している。なお、図５において、符号２３はスプリングを示し、カバー１５の先端部と下部本体１２の長手方向中央部との間に張設されて、カバー１５を下部本体１２に所定の押圧力で押圧する機能を有するものである。
【００２０】
その後、図４に示すように、前記収納部の開口から多数の圧着端子２を倒した状態で並べて装填する。この際、前述のように、圧着端子２の先端部２ｂがカバー１５に形成された第１の開口１６側に位置する下部本体１２の側部側に位置するように装填される。
【００２１】
下部本体１２とカバー１５により構成される収納部に圧着端子２を装填した後、カバー１５を第２の支軸１４を支点として前記と逆方向に回動する。これにより、カバー１５が下部本体１２を覆い、収納部に装填された圧着端子２が前記収納部から飛び出ることがなくなる。
【００２２】
その後、図１に示すように、導体１ａ，１ｂの絶縁被覆を剥がした芯線部１ｃを例えば撚り合わせ、下部本体１２に形成された第２の開口１７から挿入し、下部本体１２に対して上部本体１１を押圧する。これにより、圧着端子２の先端部２ｂが、カバー１５に形成された第１の開口１６に嵌合する突出部１９により押圧され、圧着端子２が導体１ａ，１ｂの先端部に圧着固定される。圧着端子２が導体１ａ，１ｂの先端部に固定された後に、導体１ａ，１ｂを下部本体１２に形成された第２の開口１７から引き出すことにより、一連の接続作業が終了する。
【００２３】
以上のように、実施の形態１に係る圧着工具によれば、圧着端子２を圧着端子２の収納部に装填しておけば、従来の圧着工具のように、手持ちの圧着端子を携帯する必要がなく、また、圧着工具を不平衡の状態で使用しても圧着端子が落下することなく、圧着部からも圧着端子が飛び出ることのない圧着工具を得ることができる。
【符号の説明】
【００２４】
１ａ，１ｂ  電気導体
１ｃ  芯線部
２  圧着端子
２ａ  胴体部
２ｂ  先端部
１０  圧着工具
１１  上部本体
１２  下部本体
１３  第１の支軸
１４  第２の支軸
１５  カバー
１６  第１の開口
１７  第２の開口
１８  開口部
１９  突出部
２０  保持部
２１  押圧子
２２  ばね部材
２３  スプリング
【図１】
2011204393.tif 000003
【図２】
2011204393.tif 000004
【図３】
2011204393.tif 000005
【図４】
2011204393.tif 000006
【図５】
2011204393.tif 000007
【図６】
2011204393.tif 000008